(57)【要約】【課題】バーコード画像がもつ実情報を確実に閲覧する。【解決手段】印刷データからＰＤＦデータに変換するとき、バーコード画像に関する情報（バーコードデータ）を読み出し、ＰＤＦデータの非閲覧領域に埋め込むと共に、ＰＤＦデータ上のバーコード画像を再印刷装置１１０に適応するように再作成して、ＰＤＦデータの元のバーコード画像を切り取り、再作成したバーコード画像を貼り付けるようにした【選択図】図５
2010225038.tif 000002
【特許請求の範囲】
【請求項１】
バーコード情報を含む印刷情報を閲覧対象としての電子フォーマット情報に変換する変換手段と、
前記印刷情報に含まれるバーコード情報を抽出する抽出手段と、
前記抽出手段で抽出されたバーコード情報に基づいて、前記閲覧可能状態での当該バーコード画像の開始位置、範囲、種別、実情報を含むバーコード情報を、前記電子フォーマット情報に設けられた非閲覧領域に付加する付加手段と、
を有するバーコード情報管理装置。
【請求項２】
前記付加手段により付加された非閲覧領域のバーコード情報に基づいて、前記バーコード画像の開始位置及び範囲を特定するバーコード範囲特定手段と、
前記バーコード範囲特定手段によって特定されたバーコード画像の領域を、電子フォーマット情報から除外する対象除外手段と、
前記付加手段により付加された非閲覧領域の前記バーコード画像の実情報を基礎として、前記電子フォーマット情報に基づく印刷処理に適用される印刷デバイスに依存する新たなバーコード画像を再作成する再作成手段と、
前記再作成手段により再作成されたバーコード画像を、前記対象除外手段で除外した領域のバーコード画像と入れ替える入替手段と、
をさらに有する請求項１記載のバーコード情報管理装置。
【請求項３】
基幹業務用印刷に用いられる印刷情報を、閲覧可能な電子フォーマット情報に変換し、この電子フォーマット情報に基づいて、印刷デバイス特性に依存した状態で印刷する印刷実行手段と、
前記変換手段により変換された電子フォーマット情報に含まれるバーコード画像を抽出する抽出手段と、
前記抽出手段で抽出されたバーコード画像に基づいて、前記閲覧可能状態での当該バーコード画像の開始位置、範囲、種別、実情報を含むバーコード情報を、前記電子フォーマット情報に設けられた非閲覧領域に付加する付加手段と、
前記付加手段により付加されたバーコード情報に基づいて、前記バーコード画像の開始位置及び範囲を特定するバーコード範囲特定手段と、
前記バーコード範囲特定手段によって特定されたバーコード画像の領域を、電子フォーマット情報から除外する対象除外手段と、
前記記憶手段に記憶された前記バーコード画像の実情報を基礎として、前記印刷実行手段で印刷処理に適用される印刷デバイスに依存する新たなバーコード画像を再作成する再作成手段と、
前記再作成手段により再作成されたバーコード画像を、前記対象除外手段で除外した領域のバーコード画像と入れ替える入替手段と、
を有する印刷装置。
【発明の詳細な説明】
【技術分野】
【０００１】
本発明は、バーコード情報管理装置、印刷装置に関する。
【背景技術】
【０００２】
基幹業務における印刷システム等において、当該印刷システム等の印刷物の印刷情報は、ページ記述言語等の印刷言語により記述されており、印刷システム等は、この印刷言語形式を解釈してビットマップ形式のデータを生成し、このビットマップ形式のデータに基づいて印刷を行っている。
印刷システム等において、印刷情報を、印刷情報を、ＰＤＦ（Portable Document Format）等の電子フォーマット情報に変換して記憶しておくものが知られている。
【先行技術文献】
【特許文献】
【０００３】
【特許文献１】特開２００７−２５３５９８公報
【発明の概要】
【発明が解決しようとする課題】
【０００４】
本発明は、バーコード画像を含む印刷情報から電子フォーマットに変換し、変換した電子フォーマットに基づいて印刷を行った場合に、電子フォーマットに変換したバーコード画像に基づく印刷に比べて正確なバーコード画像の印刷を行うことができるバーコード情報管理装置及び印刷装置を得ることが目的である。
【課題を解決するための手段】
【０００５】
請求項１に記載の発明は、バーコード情報を含む印刷情報を閲覧対象としての電子フォーマット情報に変換する変換手段と、前記印刷情報に含まれるバーコード情報を抽出する抽出手段と、前記抽出手段で抽出されたバーコード情報に基づいて、前記閲覧可能状態での当該バーコード画像の開始位置、範囲、種別、実情報を含むバーコード情報を、前記電子フォーマット情報に設けられた非閲覧領域に付加する付加手段と、を有している。
【０００６】
請求項２に記載の発明は、前記請求項１記載の発明において、前記付加手段により付加された非閲覧領域のバーコード情報に基づいて、前記バーコード画像の開始位置及び範囲を特定するバーコード範囲特定手段と、前記バーコード範囲特定手段によって特定されたバーコード画像の領域を、電子フォーマット情報から除外する対象除外手段と、
前記付加手段により付加された非閲覧領域の前記バーコード画像の実情報を基礎として、前記電子フォーマット情報に基づく印刷処理に適用される印刷デバイスに依存する新たなバーコード画像を再作成する再作成手段と、前記再作成手段により再作成されたバーコード画像を、前記対象除外手段で除外した領域のバーコード画像と入れ替える入替手段とをさらに有している。
【０００７】
請求項３に記載の発明は、基幹業務用印刷に用いられる印刷情報を、閲覧可能な電子フォーマット情報に変換し、この電子フォーマット情報に基づいて、印刷デバイス特性に依存した状態で印刷する印刷実行手段と、前記変換手段により変換された電子フォーマット情報に含まれるバーコード画像を抽出する抽出手段と、前記抽出手段で抽出されたバーコード画像に基づいて、前記閲覧可能状態での当該バーコード画像の開始位置、範囲、種別、実情報を含むバーコード情報を、前記電子フォーマット情報に設けられた非閲覧領域に付加する付加手段と、前記付加手段により付加されたバーコード情報に基づいて、前記バーコード画像の開始位置及び範囲を特定するバーコード範囲特定手段と、前記バーコード範囲特定手段によって特定されたバーコード画像の領域を、電子フォーマット情報から除外する対象除外手段と、前記記憶手段に記憶された前記バーコード画像の実情報を基礎として、前記印刷実行手段で印刷処理に適用される印刷デバイスに依存する新たなバーコード画像を再作成する再作成手段と、前記再作成手段により再作成されたバーコード画像を、前記対象除外手段で除外した領域のバーコード画像と入れ替える入替手段と、を有している。
【発明の効果】
【０００８】
請求項１記載の発明によれば、バーコード画像を含む印刷情報から電子フォーマットに変換し、変換した電子フォーマットに基づいて印刷を行った場合に、電子フォーマットに変換したバーコード画像に基づく印刷に比べて正確なバーコード画像の印刷を行うことができる。
【０００９】
請求項２に記載の発明によれば、本構成を有しない場合に比べて、印刷の際の印刷デバイスに依存した印刷に際し、バーコード画像から読み取る実情報を保持することができる。
【００１０】
請求項３に記載の発明によれば、本構成を有しない場合に比べて、印刷の際の印刷デバイスに依存した印刷に際し、バーコード画像から読み取る実情報を保持することができる。
【図面の簡単な説明】
【００１１】
【図１】本実施の形態に係る基幹業務印刷システムの概略構成図である。
【図２】帳票用紙をカテゴリー別に分割した場合の正面図である。
【図３】本実施の形態に係る基幹業務用印刷装置の概略構成図である。
【図４】本実施の形態に係る電子フォーマットデータ管理装置のハード構成図である。
【図５】本実施の形態に係る電子フォーマットデータ管理装置における、印刷データ取込処理、並びに再印刷指示を実行するための機能ブロック図である。
【図６】本実施の形態に係る電子フォーマットデータ管理装置における、印刷データ取込制御ルーチンを示すフローチャートである。
【図７】本実施の形態に係る電子フォーマットデータ管理装置における、再印刷制御ルーチンを示すフローチャートである。
【発明を実施するための形態】
【００１２】
本願発明の電子フォーマットとは、表示画面に表示を行う表示手段が解釈可能なデータ形式である。電子文書形式は、例えば、ＰＤＦ文書（Portable Document Format）、ワード文書（Microsoft Office Word ）、エクセル文書（Microsoft Office Excel）が挙げられ、これらは、それぞれ、専用のアプリケーションによって解釈されるものである。
【００１３】
図１には、本実施の形態に係る基幹業務印刷システムの概略構成図が示されている。なお、基幹業務とは、例えば、全ての企業活動の中心となる販売管理、生産管理、会計、人事、給与などの業務のことをいい、これらの業務に関する数千〜数万枚という単位の帳票用紙の印刷を行うシステムを「基幹業務印刷システム」という。
【００１４】
基幹業務印刷システムの主体は基幹業務用印刷装置１００であり、この基幹業務用印刷装置１００には、印刷データが入力される。
【００１５】
基幹業務用印刷装置１００は、例えば、予め記録用紙５０（図３参照）に印刷が施されている場合がある。印刷データは、その帳票（罫線枠等）の適宜箇所に穴埋めように情報を印刷するようになっている。
【００１６】
図２（Ａ）は、予め帳票が印刷された帳票用紙５０Ａの一例を示している。この図２（Ａ）に示す帳票用紙５０Ａは、コンビニエンスストア等で受け付ける「払込取扱票」であり、例えば、払込金額、加入者名、振込先金融機関等を書き込む欄が、罫線５２や文字５４等によって形成されている。
【００１７】
このような、帳票用紙５０Ａ（印刷情報）には、予めバーコード画像５６（バーコード情報）が含まれていることがある。
【００１８】
或いは、印刷データにバーコード画像データが含まれ、印刷時にバーコード画像５６として印刷されることがある。バーコード画像５６は、帳票用紙５０Ａの所定位置に所定領域内で印刷されている。バーコード画像５６は、読取装置（バーコードリーダ等）によって読み取ることで、実情報を得る。
【００１９】
（基幹業務用印刷装置１００の概略構成）
図３には、本実施の形態に係る基幹業務用印刷装置１００が示されている。基幹業務用印刷装置１００は、大きく分類して、図３の左側から画像形成部１２、用紙収容部１４、後処理部１６となっている。
【００２０】
画像形成部１２は、その筐体１８の上面に当該基幹業務用印刷装置１００の全体を制御する主制御部２０が設けられている。主制御部２０は、制御部本体２２と、キーボード２４と、ディスプレイ２６を備えている。
【００２１】
また、主制御部２０の図３の右側（画像形成部１２の上面）には、矩形の開口部が設けられている。この開口部には、開閉蓋３２が取り付けられている。
【００２２】
画像形成部１２は筐体１８によって覆われており、前記主制御部２０からの画像データに応じて発光する光ビームを走査する光走査部と、光走査部によって走査された光ビームを受けて所謂静電潜像が形成される感光体ドラムと、感光体ドラム上の静電潜像へトナー等の現像剤を供給することで現像する現像部と、この現像によって顕像化された画像を記録用紙へ転写する転写部と、転写した記録用紙上の画像を定着させる定着部とを備えている。以下、上記一連の工程を、「画像形成処理全般」という。また、以下において、「画像形成処理」を、必要に応じて、「印刷」という。
【００２３】
上記画像形成部１２が収容された筐体１８の図３の前面は、ほぼ全域に亘って開口されており、所謂観音開き型の一対の開閉扉３４が取り付けられている。
【００２４】
このため、画像形成部１２のメンテナンス時には、この一対の開閉扉３４を開放することで、筐体１８の全面とほぼ同一の面積のメンテナンス作業空間が設けられることになる。
【００２５】
この画像形成部１２の転写部へ送られる記録用紙５０（例えば、図２に示す帳票養子５０Ａ）は、前記開閉蓋３２の下部に設けられたトレイ３６、或いは用紙収容部１４に設けられた複数のトレイ３８から選択的に持ち出されるようになっている。すなわち、複数のトレイ３６、３８には、それぞれサイズの異なる記録用紙５０を収容可能（同一サイズの場合もある）となっており、主制御部２０からの指示に基づく、画像形成部１２からの指示で何れかのトレイ３６、３８が選択され、例えば、最上層の記録用紙５０から順番に持ち出すようになっている。
【００２６】
用紙収容部１４の上部は、画像形成部１２によって印刷された記録用紙５０の搬送部４０となっている。すなわち、画像形成部１２で印刷された記録用紙５０は、後処理が必要な場合に、この搬送部４０を経て、後処理部１６へ搬送されるようになっている。なお、後処理が不要な記録用紙５０は、前記開閉蓋３２の下部に配置された排出トレイユニット４２へ排出されるようになっている。
【００２７】
後処理部１６は、例えば、フィニッシャー部とも称され、製本、綴じ、穴あけ、折り等の加工、並びにジョブ単位、部数単位での仕分け処理を実行する。
【００２８】
（再印刷システム構成）
図１に示される如く、基幹業務印刷装置１００に印刷データが入力すると、当該基幹業務印刷装置１００において、印刷処理が実行され、印刷結果として記録用紙５０を出力する。
【００２９】
ここで、印刷データは、記録用紙５０（帳票用紙５０Ａ）への出力が完了すると、基幹業務印刷装置１００内には保持されず、破棄される。このため、一度印刷した内容を閲覧したり、再印刷する場合、再度、印刷データを取り寄せる必要がある。そこで、本実施の形態では、基幹業務用印刷装置１００へ入力される印刷データを、電子フォーマットデータ管理装置１０で受け取るようにしている。
【００３０】
図４は、電子フォーマットデータ管理装置１０のハード構成図である。
【００３１】
制御装置本体１０Ａは、ＣＰＵ１４、ＲＡＭ１６、ＲＯＭ１８、Ｉ／Ｏ（入出力部）２０、及びこれらを接続するデータバスやコントロールバス等のバス２２を有している。
【００３２】
Ｉ／Ｏ２０には、前記キーボード１０Ｂ、マウス１０Ｃ、モニタ１０Ｄがそれぞれ接続されている。また、このＩ／Ｏ２０には、少なくともＲＡＭ１８よりも記憶容量が大きい大容量記録媒体であるハードディスク（ＨＤＤ）２４が接続され、複数のジョブデータ（後述するＰＤＦデータ等）が記憶できるようになっている。また、Ｉ／Ｏ２０は、インターフェイス部（Ｉ／Ｆ）２６を介して通信回線網１２に接続されている。
【００３３】
上記構成の電子フォーマットデータ管理装置１０では、受け取った印刷データを帳票用紙５０Ａへの印刷フォーマットに準じて編集し、保存する役目を有している。この電子フォーマットデータ管理装置１０では、前記編集に際し、例えばＰＤＦに変換する。従って、前記バーコード画像５６（図２（Ａ）参照）は、基幹業務印刷装置１００に対応したフォーマット（例えば、バーコードフォント、バーコードパターンデータ等）で取り込まれることになる。
【００３４】
また、電子フォーマットデータ管理装置１０には、閲覧のためのモニタ１０Ｄの他、前記通信回線網１２を介して、基幹業務印刷の一部を再印刷するための印刷装置１１０（図１参照）が接続されている。なお、以下では、基幹業務用印刷装置１００と区別するために、「再印刷装置１１０」という。
【００３５】
オペレータは、電子フォーマットデータ管理装置１０に保存されたＰＤＦデータを検索することで、所望の情報の閲覧（モニタ表示）と共に、必要に応じて再印刷の指示を行う。
【００３６】
ところで、再印刷の際、ＰＤＦデータとなっているバーコード画像５６（図２（Ａ）参照）は、基幹業務印刷装置１０の印刷に対応したフォーマット（前述した、バーコードフォント、バーコードパターンデータ等）であり、再印刷装置１１０にて適応するフォーマットが存在しない場合、印刷後のバーコード読み取りに支障をきたす可能性がある。
【００３７】
そこで、本実施の形態では、電子フォーマットデータ管理装置１０において、以下の処置を実行するようにした。
【００３８】
（処置１）  バーコード画像５６の開始位置、領域、種類、実情報を含むバーコード情報を、ＰＤＦデータに既存の、非閲覧領域に埋め込む。ＰＤＦデータの非閲覧領域とは、「しおり」、「コメント」、「注釈」、「ＰＤＦマーク」を指す。
【００３９】
（処置２）  ＰＤＦデータとして取り込んだ電子フォーマット上のバーコード画像５６の領域を切り取る。
【００４０】
（処置３）  「処置２」で切り取った領域に、非閲覧領域に埋め込んだバーコード情報の種類、実情報を読み出し、再印刷装置１１０に適応するバーコードのフォーマットに合わせてバーコード画像データを再作成する。
【００４１】
（処置４）  「処置３」で再作成したバーコード画像データを非閲覧領域に埋め込んだバーコード情報の開始位置、領域に基づいて、ＰＤＦデータに貼り付ける。
【００４２】
図５は、電子フォーマットデータ管理装置１００における、前記処置１〜処置４を実行するための機能ブロック図である。なお、この図５のブロックは、あくまでも機能的に分類したものであり、ハード構成を限定するものではない。
【００４３】
図５に示される如く、入力部（前述したキーボード１０Ｂ、マウス１０Ｃを総称）２００は、入力解析部２０２に接続されている。
【００４４】
この入力解析部２０２は、入力部２００で入力された指示を解析し、ここでは、印刷データの取込指示か、格納されているＰＤＦデータの再印刷指示かを解析する。
【００４５】
（印刷データの取込指示）
入力解析部２０２は、印刷データ取込部２０４に接続されている。入力解析部２０２での解析の結果、印刷データの取込指示の場合、印刷データ取込部２０４を起動させる。
【００４６】
印刷データ取込部２０４では、インターフェイス部２０５を介して、印刷データを取り込む。なお、この印刷データの取り込みは、入力部２００からの指示によらず、前記基幹業務用印刷装置１００へ印刷データが送出されるときに常に取り込むようにしてもよい。
【００４７】
印刷データ取込部２０４は、情報分割部２０６に接続されている。印刷データ取込部２０４が、印刷データを取り込むと、この印刷データは、情報分割部２０６へ送出されるようになっている。
【００４８】
情報分割部２０６は、取り込んだ印刷データのカテゴリー（範疇）毎に分割する役目を有する。
【００４９】
例えば、図２は、基幹業務印刷によって処理される帳票用紙５０Ａである。この帳票用紙５０Ａは、コンビニエンスストア等で料金等の払い込みを行うときに適用される「払込取扱票」に関する記述が予め記録用紙５０に印刷され帳票用紙５０Ａとなっている。
【００５０】
この帳票用紙５０Ａの場合において、前記情報分割部２０６では、図２（Ａ）の原型を、図２（Ｂ）のオーバーレイ画像５８、図２（Ｃ）の文字画像５４、図２（Ｄ）のバーコード画像５６のそれぞれの画像データに分割する。上記分割単位で、後述するＰＤＦ変換処理が実行されるようになっている。
【００５１】
前記情報分割部２０６での分割の結果、全データ（オーバーレイ画像５８、文字画像５４、バーコード画像５６）が閲覧用ＰＤＦデータ作成部２０８へ送出される。
【００５２】
また、情報分割部２０６で分割された全データの内、バーコード画像５６に対応するバーコードデータが抽出され、バーコードデータ解析部２１０へ送出されるようになっている。
【００５３】
また、前記閲覧用ＰＤＦデータ作成部２０８では、分割したカテゴリー毎にＰＤＦ変換処理が実行され、閲覧用ＰＤＦデータが作成されるようになっている。なお、作成されたＰＤＦデータは、埋込処理部２１２へ送出される。
【００５４】
前記バーコードデータ解析部２１０では、抽出したバーコードデータを解析し、以下の（１）〜（４）の情報を得る。
（１）開始位置情報
バーコード画像５６の印刷時の開始位置を特定する情報である。
（２）領域情報
バーコード画像５６の印刷領域を特定する情報である。
（３）種別情報
バーコードの種別（例えば、ＩＡＮコード、ＪＡＮコード等）を区別する情報である。
（４）実情報
バーコードで表現される情報の実際の情報内容である。
【００５５】
以下、取得した（１）〜（４）の情報を総称する場合、「バーコード情報」という。
【００５６】
バーコード情報は、バーコード解析部２１０から情報一時格納部２１４へ送出され、一時的に格納されるようになっている。
【００５７】
情報一時格納部２１４では、バーコード情報が入力されると、非閲覧領域特定部２１６を起動させ、このバーコード情報の保存場所を特定する。例えば、ＰＤＦデータでは、一般的に、しおり、コメント、注釈、ＰＤＦマーク等を埋め込む領域があり、バーコード情報は、これらの何れかに保存するべく、保存場所を特定する。
【００５８】
非閲覧領域特定部２１６における、バーコード情報の保存先が特定されると、その特定情報は、前記埋込処理部２１２へ送出される。また、情報一時格納部２１４では、非閲覧領域特定部２１６を起動するのに同期して、バーコード情報を埋込処理部２１２へ送出する。
【００５９】
埋込処理部２１２では、閲覧用ＰＤＦデータ作成部２０８から送られてきたＰＤＦデータにおける、特定された埋め込み先に、バーコード情報を埋め込む。
【００６０】
埋込処理部２１２は、保存処理部２１８に接続されている。埋込処理部２１２によるバーコード情報の埋め込みが完了すると、ＰＤＦデータは保存処理部２１８へ送出され、この保存処理部２１８によりＰＤＦデータがハードディスク２４に保存されるようになっている。
【００６１】
（ＰＤＦデータの再印刷指示）
前記入力解析部２０２において、入力部２００からの信号がハードディスク２４に保存されているＰＤＦデータの再印刷指示であると認識すると、入力解析部２０２では、指定印刷データ特定部２２０に対して、再印刷するＰＤＦデータを特定する。
【００６２】
指定印刷データ特定部２２０は、データ読出部２２２に接続されている。データ読出部２２２では、指定印刷データ特定部２２０において特定されたＰＤＦデータをハードディスク２４から読み出す役目を有する。
【００６３】
データ読出部２２２は、表示制御部２２４、バーコード画像領域切取部２２６、非閲覧領域埋込情報取得部２２８のそれぞれに接続されている。
【００６４】
表示制御部２２４では、前記データ読出部２２２で読み出したＰＤＦデータを受け取り、閲覧装置２３０（モニタ１０Ｄ）を制御して、画像表示する。
【００６５】
バーコード画像領域切取部２２６では、データ読出部２２２で読み出したＰＤＦデータの内、バーコード画像５６の領域を切り取る処理を施す。この時点では、ＰＤＦデータによる印刷結果は、バーコード画像５６部分が抜けた、所謂虫食い状態の画像となる。
【００６６】
バーコード画像領域切取部２２６は、合成部２３２に接続されており、バーコード画像領域が切り取られた状態のＰＤＦデータを合成部２３２へ送出する。
【００６７】
また、非閲覧領域埋込情報取得部２２８では、ＰＤＦデータの非閲覧領域（しおり、コメント、注釈、ＰＤＦマークの内で特定された領域）に記憶されているバーコード情報（１）〜（４）を取得する。非閲覧領域埋込情報取得部２２８は、バーコード画像再作成部２３４に接続されており、前記バーコード情報をバーコード画像再作成部２３４へ送出する。
【００６８】
バーコード画像再作成部２３４には、バーコードフォント情報メモリ２３６が接続されている。このバーコードフォント情報メモリ２３６には、前記再印刷装置１１０（図１参照）によって印刷するときに適用されるバーコードフォントが記憶されている。
【００６９】
すなわち、バーコード画像再作成部２３４では、これから再印刷する再印刷装置１１０において、最適な状態でバーコード画像を印刷するべく、再印刷装置１１０に適合するバーコードフォントに基づいて、バーコード画像５６を再作成する。
【００７０】
バーコード画像再作成部２３４は、合成部２３２に接続されている。
【００７１】
この結果、合成部２３２には、バーコード画像領域切取部２２６から入力されるバーコード画像領域が切り取られた状態のＰＤＦデータと、バーコード画像再作成部２３４から入力される再作成されたバーコード画像データと、が揃い、これらが合成される。
【００７２】
合成部２３２は、印刷制御部２３８に接続されており、合成されたＰＤＦデータをインターフェイス部２０５を介して、再印刷装置１１０へ送出する。
【００７３】
以下に本実施の形態の作用を図６及び図７のフローチャートに従い説明する。
【００７４】
図６は、本実施の形態に係る電子フォーマットデータ管理装置１０における、印刷データ取込制御ルーチンを示すフローチャートである。
【００７５】
ステップ３００では、データ取込指示があったか否かが判断され、否定判定されると、このルーチンは終了する。
【００７６】
ステップ３００で肯定判定されると、ステップ３０２へ移行して、印刷データの取込処理を実行する。
【００７７】
次のステップ３０４では、取り込んだ印刷データをカテゴリー毎に分割する。
【００７８】
例えば、基幹業務印刷によって処理される帳票用紙５０Ａの場合、元の印刷データは、図２（Ａ）である（原型）
この原型を、オーバーレイ画像５８（図２（Ｂ）参照）、文字画像５４（図２（Ｃ）参照）、バーコード画像５６（図２（Ｄ）参照）のそれぞれの画像データに順次分割する。このとき、バーコード画像５６からは、バーコードデータを抽出する。
【００７９】
次のステップ３０６では、分割したカテゴリーを所定の順序で読み出し、ステップ３０８へ移行する。ステップ３０８では、読み出したカテゴリーがバーコード画像５６か否かがは判断され、肯定判定の場合は、バーコードデータを解析する必要があるため、ステップ３１０へ移行して、バーコードデータを解析して、（１）〜（４）の情報を取得する。
【００８０】
次のステップ３１２では、変換後のデータ（ここでは、ＰＤＦデータ）における非閲覧領域（バーコードデータの埋め込み場所）を特定し、次いで、ステップ３１４へ移行して前記特定した埋め込み場所（ＰＤＦデータの場合では、しおり、コメント、注釈、ＰＤＦマークの何れか）にバーコードデータを埋め込み、ステップ３１６へ移行する。
【００８１】
一方、ステップ３０８で否定判定された場合は、バーコードデータの解析が不要であるので、ステップ３１６へ移行する。
【００８２】
ステップ３１６では、各カテゴリー毎にＰＤＦデータへの変換処理を実行し、ステップ３１８へ移行する。
【００８３】
ステップ３１８では、全データ（全カテゴリー）の変換処理が終了したか否かが判断され、否定判定された場合には、ステップ３０６へ移行して、上記肯定を繰り返す。
【００８４】
また、ステップ３１６で肯定判定された場合は、このルーチンは終了する。
【００８５】
図７は、電子フォーマットデータ管理装置１０における、再印刷制御ルーチンを示すフローチャートである。
【００８６】
ステップ３５０では、再印刷指示があったか否かが判断され、否定判定された場合には、このルーチンは終了する。ステップ３５０で肯定判定されると、ステップ３５２へ移行して、非閲覧領域に埋め込まれたバーコードデータ数をカウントするための変数ｉを１にセットし、ステップ３５４へ移行する。
【００８７】
ステップ３５４では、指定された印刷データを特定し、次いでステップ３５６へ移行して、特定された印刷データに対応するＰＤＦデータをハードディスク２４から読み出し、ステップ３５８へ移行する。
【００８８】
ステップ３５８では、読み出したＰＤＦデータの非閲覧領域から埋込情報（すなわち、バーコードデータ）を取得する。
【００８９】
次のステップ３６０では、取得した埋込情報数ｎを確定し、ステップ３６２へ移行する。ステップ３６２では、ｉ個目のＰＤＦデータの中のバーコード画像を切り取る。この時点で、ＰＤＦデータは所謂虫食い状態でバーコード画像部分が抜け落ちた状態となる。
【００９０】
次のステップ３６４では、ｉ個目のバーコードデータに基づいて、バーコード画像を再作成する。このとき、再印刷装置１１０に適応するバーコードフォントに基づいて再作成するため、バーコードリーダ等によるバーコード読み取りの確実性が再印刷によって低下することがない。
【００９１】
次のステップ３６６では、変数ｉ（バーコードデータカウント数）が埋込情報数ｎに到達したか否かが判断され、否定判定された場合には、ステップ３６８へ移行して、変数ｉをインクリメント（ｉ←ｉ＋１）して、ステップ３６２へ戻り、上記工程を繰り返す。
【００９２】
また、ステップ３６６で肯定判定されると、ステップ３７０へ移行して切取領域に再作成したバーコード画像を貼り付け、所謂虫食い状態のＰＤＦデータを完全なデータに戻し、ステップ３７２へ移行する。ステップ３７２では、バーコード画像が再作成されたＰＤＦデータに基づいて、印刷処理の実行を指示し、このルーチンは終了する。
【００９３】
印刷処理の実行を指示を受けた再印刷装置１１０では、通常のＰＤＦデータに基づく印刷処理が実行される。このとき、例えば、印刷による、バーコードフォントの違いや、にじみ等による画像変化が解消されており、再印刷装置１１０に適応したバーコード画像での印刷が実行される。
【００９４】
なお、本実施の形態では、印刷データからＰＤＦデータに変換するとき、バーコード画像に関する情報（バーコードデータ）を読み出し、ＰＤＦデータの非閲覧領域に埋め込むと共に、ＰＤＦデータ上のバーコード画像を再印刷装置１１０に適応するように再作成して、ＰＤＦデータの元のバーコード画像を切り取り、再作成したバーコード画像を貼り付けるようにしたが、ＰＤＦデータの非閲覧領域に埋め込むことと、バーコード画像を切り取り、貼り付けることは、何れか一方のみであってもよい。
【符号の説明】
【００９５】
１０    電子フォーマットデータ管理装置（バーコード情報管理装置）
１２    画像形成部
２０    主制御部
２２    制御部本体
２６    ディスプレイ
３６    トレイ
３８    トレイ
４０    搬送部
４２    排出トレイユニット
５０    記録用紙
５０Ａ    帳票用紙
５４    文字画像
５６    バーコード画像
５８    オーバーレイ画像
１００    基幹業務用印刷装置
１１０    再印刷装置
２００    入力部
２０２    入力解析部
２０４    印刷データ取込部
２０５    インターフェイス部
２０６    情報分割部（抽出手段）
２０８    閲覧用ＰＤＦデータ作成部（変換手段）
２１０    バーコードデータ解析部（バーコード範囲特定手段）
２１２    埋込処理部（埋込手段）
２１４    情報一時格納部
２１６    非閲覧領域特定部
２１８    保存処理部
２２０    指定印刷データ特定部
２２２    データ読出部
２２４    表示制御部
２２６    バーコード画像領域切取部（対象除外手段）
２２８    非閲覧領域埋込情報取得部
２３０    閲覧装置
２３２    合成部（入替手段）
２３４    バーコード画像再作成部（再作成手段）
２３６    バーコードフォント情報メモリ
２３８    印刷制御部
【図１】
2010225038.tif 000003
【図２】
2010225038.tif 000004
【図３】
2010225038.tif 000005
【図４】
2010225038.tif 000006
【図５】
2010225038.tif 000007
【図６】
2010225038.tif 000008
【図７】
2010225038.tif 000009